(57)【特許請求の範囲】
【請求項１】
入力端に入力した光を光増幅して出力端から出力する光増幅器であって、
励起エネルギが供給されることにより、前記入力端に入力した光を光増幅する光増幅媒体と、
前記光増幅媒体に励起エネルギを供給する励起部と、
前記出力端から出力される光のレベル（以下「出力光レベル」という。）をモニタする出力光モニタ部と、
前記出力光モニタ部により得られた出力光レベルに基づいて、前記励起部により前記光増幅媒体に供給される励起エネルギを所定の最大供給量以下の範囲で調整してＡＬＣ制御を行うとともに、前記入力端に入力する光のレベル（以下「入力光レベル」という。）を監視する制御部と、
を備え、
前記制御部は、
前記出力光レベルと第１基準出力光レベルＬ１とを対比して、前記出力光レベルが前記第１基準出力光レベルＬ１より低下したと判断したときに、前記励起部による前記光増幅媒体への励起エネルギの供給量を低下させて、前記出力光レベルを前記第１基準出力光レベルＬ１より更に低下させ、前記出力光レベルの目標値を第２基準出力光レベルＬ２（ただし、Ｌ２＜Ｌ１）まで低下させ、
前記励起エネルギ供給量または励起ＬＤ駆動電流と基準供給量レベルとを対比して、前記励起エネルギ供給量または前記励起ＬＤ駆動電流が前記基準供給量レベルより低下したとの判断に基づいて、前記入力光レベルの復旧を検出する、
ことを特徴とする光増幅器。
【請求項２】
前記制御部は、前記入力光レベルの復旧を検出したときに、前記出力光レベルの目標値を復旧させる、ことを特徴とする請求項１記載の光増幅器。
【発明の詳細な説明】
【技術分野】
【０００１】
本発明は、入力端に入力した光を光増幅して出力端から出力する光増幅器に関するものである。
【背景技術】
【０００２】
光通信システムにおいて信号光を光増幅するのに用いられる光増幅器は、入力端に入力した光を光増幅する光増幅媒体と、この光増幅媒体に励起エネルギを供給する励起部と、を備えている。ここで、好適には、希土類元素（例えばＥｒ元素）が光導波領域に添加された光ファイバが光増幅媒体として用いられ、また、この希土類元素を励起し得る波長の励起光を出力するレーザダイオードが励起部として用いられる。
【０００３】
また、光増幅器は、一般に、出力端から出力される光のレベル（以下「出力光レベル」という。）をモニタする出力光モニタ部と、入力端に入力する光のレベル（以下「入力光レベル」という。）をモニタする入力光モニタ部と、これらのモニタによって得られた出力光レベルおよび入力光レベルに基づいて制御を行う制御部と、を更に備えている（特許文献１，２）。
【０００４】
制御部は、励起部により光増幅媒体に供給される励起エネルギを調整して、出力光モニタ部によりモニタされる出力光レベルが一定になるようにＡＬＣ制御を行う。また、制御部は、入力光モニタ部によりモニタされた入力光レベルが或る基準レベルより低下したときには、励起部による光増幅媒体への励起エネルギの供給を低減または停止させる。さらに、制御部は、入力光モニタ部によりモニタされた入力光レベルが復旧したときには、励起部による光増幅媒体への励起エネルギの供給を復旧させる。
【先行技術文献】
【特許文献】
【０００５】
【特許文献１】特開平４−６８８３０号公報
【特許文献２】特開平７−３０７７０４号公報
【発明の概要】
【発明が解決しようとする課題】
【０００６】
上記のように、従来の光増幅器は出力光モニタ部および入力光モニタ部を備えている。仮に、入力光モニタ部を省略することができるならば、光増幅器としては、雑音指数の改善およびコストの低減が期待される一方で、上述のような入力光モニタ部に替わって入力光レベルをモニタする手段が必要となり、また、上述のような制御方法に替わる新たな制御方法が必要となる。
【０００７】
本発明は、上記問題点を解消する為になされたものであり、雑音指数の改善およびコストの低減が可能な光増幅器を提供することを目的とする。
【課題を解決するための手段】
【０００８】
本発明に係る光増幅器は、入力端に入力した光を光増幅して出力端から出力する光増幅器であって、(1) 励起エネルギが供給されることにより、入力端に入力した光を光増幅する光増幅媒体と、(2) 光増幅媒体に励起エネルギを供給する励起部と、(3) 出力端から出力される光のレベル（以下「出力光レベル」という。）をモニタする出力光モニタ部と、(4) 出力光モニタ部により得られた出力光レベルに基づいて、励起部により光増幅媒体に供給される励起エネルギを所定の最大供給量以下の範囲で調整してＡＬＣ制御を行うとともに、入力端に入力する光のレベル（以下「入力光レベル」という。）を監視する制御部と、を備えることを特徴とする。
【０００９】
この光増幅器では、励起部により励起エネルギが光増幅媒体に供給され、入力端に入力した光が光増幅媒体において光増幅されて、この光増幅された光が出力端から出力される。この出力端から出力される光のレベル（出力光レベル）は、出力光モニタ部によりモニタされる。そして、制御部により、出力光モニタ部により得られた出力光レベルに基づいて、励起部により光増幅媒体に供給される励起エネルギが所定の最大供給量以下の範囲で調整されてＡＬＣ制御が行われるとともに、入力端に入力する光のレベル（入力光レベル）が監視される。
【００１０】
また、制御部は、出力光レベルと第１基準出力光レベルＬ１とを対比して、出力光レベルが第１基準出力光レベルＬ１より低下したと判断したときに、励起部による光増幅媒体への励起エネルギの供給量を低下させて、出力光レベルを第１基準出力光レベルＬ１より更に低下させる。制御部によるＡＬＣ制御の下では、入力光レベルが低下すると、出力光レベルが目標レベルに維持されるよう、励起エネルギ供給量が増加する。入力光レベルが顕著に低下すると、励起エネルギ供給量が最大供給量に固定されて、出力光レベルが低下する。そこで、制御部により、出力光レベルが第１基準出力光レベルＬ１より低下したと判断したときに、入力光レベルも低下したと判断して、励起部による光増幅媒体への励起エネルギの供給量を低下させて、出力光レベルを第１基準出力光レベルＬ１より更に低下させる。
【００１１】
特に、制御部は、出力光レベルが第１基準出力光レベルＬ１より低下したと判断したときに、出力光レベルの目標値を第２基準出力光レベルＬ２（ただし、Ｌ２＜Ｌ１）まで低下させる。また、制御部は、励起エネルギ供給量または励起ＬＤ駆動電流と基準供給量レベルとを対比して、励起エネルギ供給量または励起ＬＤ駆動電流が基準供給量レベルより低下したとの判断に基づいて、入力光レベルの復旧を検出する。また、制御部は、入力光レベルの復旧を検出したときに、出力光レベルの目標値を復旧させるのが好適である。
【発明の効果】
【００１２】
本発明によれば、従来のような入力光モニタ部が不要であり、雑音指数の改善およびコストの低減が可能である。
【図面の簡単な説明】
【００１３】
【図１】第１実施形態に係る光増幅器１の構成図である。
【図２】第１実施形態に係る光増幅器１における第１の制御方法を説明する図である。
【図３】第１実施形態に係る光増幅器１における第２の制御方法を説明する図である。
【図４】第１実施形態に係る光増幅器１における第３の制御方法を説明する図である。
【図５】第２実施形態に係る光増幅器２の構成図である。
【図６】第２実施形態に係る光増幅器２における制御方法を説明する図である。
【発明を実施するための形態】
【００１４】
以下、添付図面を参照して、本発明を実施するための形態を詳細に説明する。なお、図面の説明において同一の要素には同一の符号を付し、重複する説明を省略する。
【００１５】
先ず、第１実施形態に係る光増幅器について説明する。図１は、第１実施形態に係る光増幅器１の構成図である。この図に示される光増幅器１は、入力端１１に入力した光を光増幅して出力端１２から出力するものであって、光増幅媒体２０、励起部３０、出力光モニタ部４０、制御部５１および光アイソレータ６１，６２を備える。
【００１６】
光増幅媒体２０は、励起エネルギが供給されることにより、入力端１１に入力した光を光増幅するものである。光増幅媒体２０は、希土類元素が光導波領域に添加された光ファイバであるのが好適であり、また、添加される希土類元素がＥｒ元素であるのが好適である。
【００１７】
励起部３０は、光増幅媒体２０に励起エネルギを供給するものであり、レーザダイオード３１および光カプラ３２を含む。レーザダイオード３１は、光増幅媒体２０を励起する為の励起エネルギを発生するものであり、光増幅媒体２０がＥｒ元素添加光ファイバである場合には、Ｅｒ元素を励起し得る波長１.４８μｍ帯または０.９８μｍ帯の励起光を発生する。光カプラ３２は、光アイソレータ６１と光増幅媒体２０との間に設けられ、レーザダイオード３１で発生した励起光を光増幅媒体２０へ出力するとともに、光アイソレータ６１から到達した被増幅光をも光増幅媒体２０へ出力する。
【００１８】
出力光モニタ部４０は、出力端から出力される光のレベル（出力光レベル）をモニタするものであり、フォトダイオード４１および光カプラ４２を含む。光カプラ４２は、光アイソレータ６２と出力端１２との間に設けられ、出力端１２から出力される光の一部を分岐してフォトダイオード４１へ出力する。フォトダイオード４１は、光カプラ４２から到達した光を受光し、その受光した光のパワーを検出する。
【００１９】
光アイソレータ６１は、入力端１１と光カプラ３２との間に設けられている。光アイソレータ６２は、光増幅媒体２０と光カプラ４２の間に設けられている。光アイソレータ６１，６２それぞれは、入力端１１から出力端１２へ向かう順方向には光を通過させるが、逆方向には光を通過させない。
【００２０】
制御部５１は、出力光モニタ部４０により得られた出力光レベルに基づいて、励起部３０により光増幅媒体２０に供給される励起エネルギを所定の最大供給量以下の範囲で調整して、出力光レベルが目標レベルとなるようにＡＬＣ制御を行う。励起エネルギ供給量の調整は、励起部３０に含まれるレーザダイオード３１に供給される駆動電流を調整することにより可能である。
【００２１】
この光増幅器１は以下のように動作する。レーザダイオード３１から出力された励起光は、光カプラ３２を経て光増幅媒体２０へ供給される。入力端１１に入力した被増幅光は、光アイソレータ６１および光カプラ３２を順に経て光増幅媒体２０に入力し、この光増幅媒体２０において光増幅される。この光増幅媒体２０において光増幅された光は、光アイソレータ６２および光カプラ４２を順に経て出力端１２から外部へ出力される。
【００２２】
光アイソレータ６２から出力端１２に向かう光の一部は、光カプラ４２により分岐されて取り出され、そのパワーがフォトダイオード４１により検出される。このフォトダイオード４１により検出される光パワーは出力光レベルを表す。そして、制御部５１により、ＡＬＣ制御が行われて、出力光モニタ部４０により得られた出力光レベルが一定となるように、励起部３０により光増幅媒体２０に供給される励起エネルギが調整される。
【００２３】
ＡＬＣ制御の下では、出力光モニタ部４０により得られた出力光レベルが目標レベルより大きくなったときには、励起部３０により光増幅媒体２０に供給される励起エネルギは減少される。一方、出力光モニタ部４０により得られた出力光レベルが目標レベルより小さくなったときには、励起部３０により光増幅媒体２０に供給される励起エネルギは増加される。このＡＬＣ制御に際して、励起部３０により光増幅媒体２０に供給される励起エネルギは、所定の最大供給量以下の範囲で調整され、この最大供給量を超えることはない。
【００２４】
以上のような動作を基本として、特に第１実施形態に係る光増幅器１では、制御部５１は以下のような制御を行う。すなわち、制御部５１は、出力光モニタ部４０により得られた出力光レベルに基づいて、入力端１１に入力する光のレベル（入力光レベル）を監視する。また、制御部５１は、出力光レベルと第１基準出力光レベルとを対比して、出力光レベルが第１基準出力光レベルより低下したと判断したときに、励起部３０により光増幅媒体２０に供給される励起エネルギの最大供給量を低下させて、出力光レベルを第１基準出力光レベルより更に低下させる。
【００２５】
この第１基準出力光レベルは、以下のようなレベルに設定される。すなわち、入力光レベルが著しく低下した場合、事実上、出力端１２から出力される光は、光増幅媒体２０から発出されるＡＳＥ（Amplified Spontaneous Emission）光のみであると考えられる。このときのＡＳＥ光レベルは、励起部３０により光増幅媒体２０に供給される励起エネルギの大きさにより制御が可能である。そこで、励起部３０により光増幅媒体２０に供給される励起エネルギが上記最大供給量であるときのＡＳＥ光レベルを予め求めておき、このＡＳＥ光レベルと通常運用状態での出力光レベル範囲との間に第１基準出力光レベルが設定される。このように第１基準出力光レベルを設定しておけば、入力光レベル低下時の出力光レベルを検知することが可能になる。
【００２６】
つまり、出力光レベルが第１基準出力光レベルより低下したときには、入力光レベル低下状態であると判断し、自動的に、励起部３０により光増幅媒体２０に供給される励起エネルギの最大供給量を低下させて、出力光レベルを十分安全なレベルまで低下させ、或いは、光出力を停止させる。また、出力光レベルを十分安全なレベルまで低下させた際の制御としては、ＡＣＣ制御（励起エネルギ供給量を一定に制御）およびＡＬＣ制御（出力光レベルを一定に制御）の２とおりの制御方法が考えられる。以下では、出力光レベルを低下させた際にＡＣＣ制御を行う第１の制御方法、出力光レベルを低下させた際にＡＬＣ制御を行う第２の制御方法、および、光出力を停止させる第３の制御方法、それぞれについて説明する。
【００２７】
図２は、第１実施形態に係る光増幅器１における第１の制御方法を説明する図である。同図（ａ）は第１の制御方法における出力光レベルの遷移を示し、同図（ｂ）は第１の制御方法における励起エネルギ供給量の遷移を示す。この第１の制御方法では、制御部５１は、出力光レベルが第１基準出力光レベルＬ１より低下したと判断したときに、ＡＬＣ制御からＡＣＣ制御に切り替えて、出力光レベルを第２基準出力光レベルＬ２（ただし、Ｌ２＜Ｌ１）まで低下させる。
【００２８】
第１の制御方法では、通常運用状態ＡにおいてＡＬＣ制御が行われているときには、入力光レベルが通常範囲にあり、励起エネルギ供給量も通常範囲にあり、また、出力光レベルも通常範囲にある。この通常運用状態に対して入力光レベルが低下すると、制御部５１は、ＡＬＣ制御により、出力光レベルを目標レベルに維持するよう、励起エネルギ供給量を増加させる。入力光レベルが顕著に低下すると、励起エネルギ供給量が最大供給量に固定されて、状態Ｂとなる。この状態Ｂでは、出力光レベルは、光増幅媒体２０で発生するＡＳＥ光のレベルと略等しくなる。そこで、制御部５１は、出力光レベルと第１基準出力光レベルＬ１とを対比して、出力光レベルが第１基準出力光レベルＬ１より低下したと判断したときに、状態Ｂであると判定する。
【００２９】
そして、制御部５１は、状態Ｂであると判定すると、ＡＬＣ制御からＡＣＣ制御に切り替えて、出力光レベルを第１基準出力光レベルＬ１より更に低い第２基準出力光レベルＬ２まで低下させて、状態Ｃとする。励起エネルギ供給量を一定に制御するＡＣＣ制御の下では、入力光レベルが復旧すると、それに応じて出力光レベルも大きくなって、状態Ｄとなる。
【００３０】
そこで、制御部５１は、出力光レベルと第３基準出力光レベルＬ３（ただし、Ｌ２＜Ｌ３＜Ｌ１）とを対比して、出力光レベルが第３基準出力光レベルＬ３より上昇したと判断したときに、状態Ｄに遷移したこと（すなわち、入力光レベルの復旧）を検出する。この第３基準出力光レベルＬ３は、状態Ｃにおける第２基準出力光レベルＬ２より大きく、且つ、ＡＣＣ制御下で入力光レベルが復旧した場合の出力光レベルより小さいレベルに設定される。そして、制御部５１は、入力光レベルの復旧を検出したときに、ＡＣＣ制御からＡＬＣ制御に切り替えて、励起部３０による光増幅媒体２０への励起エネルギの供給を通常状態に復旧させ、通常運用状態Ａに復帰させる。
【００３１】
なお、光サージ防止の観点から、状態Ａから状態Ｂへ遷移したか否かの判断、および状態Ｃから状態Ｄへ遷移したか否かの判断それぞれは、一定時間に亘って当該判断を行うのが好ましい。
【００３２】
図３は、第１実施形態に係る光増幅器１における第２の制御方法を説明する図である。同図（ａ）は第２の制御方法における出力光レベルの遷移を示し、同図（ｂ）は第２の制御方法における励起エネルギ供給量の遷移を示す。この第２の制御方法では、制御部５１は、出力光レベルが第１基準出力光レベルＬ１より低下したと判断したときに、ＡＬＣ制御を継続したまま、出力光レベルの目標値を第２基準出力光レベルＬ２（ただし、Ｌ２＜Ｌ１）まで低下させる。
【００３３】
第２の制御方法では、通常運用状態Ａから状態Ｂの判定までについては、第１の制御方法の場合と同様である。第２の制御方法では、制御部５１は、状態Ｂであると判定すると、ＡＬＣ制御のまま、出力光レベルの目標値を第２基準出力光レベルＬ２まで低下させて、状態Ｃとする。出力光レベルを一定に制御するＡＬＣ制御の下では、入力光レベルが復旧して大きくなったとき、出力光レベルを一定に維持しようとする為、励起エネルギ供給量または励起ＬＤ駆動電流が低下して、状態Ｄとなる。
【００３４】
そこで、制御部５１は、励起エネルギ供給量または励起ＬＤ駆動電流と基準供給量レベルとを対比して、励起エネルギ供給量または励起ＬＤ駆動電流が基準供給量レベルより低下したとの判断に基づいて、状態Ｄに遷移したこと（すなわち、入力光レベルの復旧）を検出する。この基準供給量レベルは、状態Ｃにおける励起エネルギ供給量または励起ＬＤ駆動電流より小さく、且つ、ＡＬＣ制御下で入力光レベルが復旧した場合の励起エネルギ供給量または励起ＬＤ駆動電流より大きいレベルに設定される。そして、制御部５１は、入力光レベルの復旧を検出したときに、出力光レベルの目標値を復旧させて、励起部３０による光増幅媒体２０への励起エネルギの供給または励起ＬＤ駆動電流を通常状態に復旧させ、通常運用状態Ａに復帰させる。
【００３５】
なお、この第２の制御方法でも、光サージ防止の観点から、状態Ａから状態Ｂへ遷移したか否かの判断、および状態Ｃから状態Ｄへ遷移したか否かの判断それぞれは、一定時間に亘って当該判断を行うのが好ましい。
【００３６】
図４は、第１実施形態に係る光増幅器１における第３の制御方法を説明する図である。同図（ａ）は第３の制御方法における出力光レベルの遷移を示し、同図（ｂ）は第３の制御方法における励起エネルギ供給量の遷移を示す。この第３の制御方法では、制御部５１は、出力光レベルが第１基準出力光レベルＬ１より低下したと判断したときに、励起部３０による光増幅媒体２０への励起エネルギの供給を停止させる。
【００３７】
第３の制御方法では、通常運用状態Ａから状態Ｂの判定までについては、第１の制御方法の場合と同様である。第３の制御方法では、制御部５１は、状態Ｂであると判定すると、励起部３０による光増幅媒体２０への励起エネルギの供給を停止させて、状態Ｃとする。励起エネルギ供給が停止された状態において、入力光レベルが復旧して大きくなったとき、これに応じて出力光レベルも大きくなって、状態Ｄとなる。
【００３８】
そこで、制御部５１は、出力光レベルと第４基準出力光レベルＬ４（ただし、Ｌ４＜Ｌ１）とを対比して、出力光レベルが第４基準出力光レベルＬ４より上昇したとの判断に基づいて、状態Ｄに遷移したこと（すなわち、入力光レベルの復旧）を検出する。この第４基準出力光レベルＬ４は、励起エネルギ供給停止時に入力光レベルが低下した状態のときの出力光レベルより大きく、且つ、励起エネルギ供給停止時に入力光レベルが復旧した状態のときの出力光レベルより小さいレベルに設定される。そして、制御部５１は、入力光レベルの復旧を検出したときに、励起部３０による光増幅媒体２０への励起エネルギの供給を通常状態に復旧させて、通常運用状態Ａに復帰させる。
【００３９】
以上のように、第１実施形態に係る光増幅器１では、制御部５１は、出力光モニタ部４０により得られた出力光レベルに基づいてＡＬＣ制御を行うとともに入力光レベルを監視して、入力光レベルが低下したときには第１〜第３の制御方法の何れかにより制御を行う。したがって、この光増幅器１は、従来のような入力光モニタ部が不要であり、雑音指数の改善およびコストの低減が可能である。
【００４０】
次に、第２実施形態に係る光増幅器について説明する。図５は、第２実施形態に係る光増幅器２の構成図である。この図に示される光増幅器２は、入力端１１に入力した光を光増幅して出力端１２から出力するものであって、光増幅媒体２０、励起部３０、出力光モニタ部４０、制御部５２、光アイソレータ６１，６２および光減衰部７０を備える。図１に示された第１実施形態に係る光増幅器１の構成と比較すると、この図５に示された第２実施形態に係る光増幅器２は、制御部５１に替えて制御部５２を備える点で相違し、また、光減衰部７０を更に備える点で相違する。
【００４１】
光減衰部７０は、出力光モニタ部４０と出力端１２との間に設けられ、光増幅媒体２０から出力された光に対して減衰を与える。光減衰部７０の減衰率は可変である。出力光モニタ部４０は、光増幅媒体２０から出力された光のレベル（出力光レベル）をモニタする。
【００４２】
制御部５２は、出力光モニタ部４０により得られた出力光レベルに基づいて、励起部３０により光増幅媒体２０に供給される励起エネルギを所定の最大供給量以下の範囲で調整してＡＬＣ制御またはＡＣＣ制御を行うとともに、入力端に入力する光のレベル（入力光レベル）を監視して、その監視結果に基づいて光減衰部７０の減衰率を制御する。
【００４３】
この光増幅器２は以下のように動作する。レーザダイオード３１から出力された励起光は、光カプラ３２を経て光増幅媒体２０へ供給される。入力端１１に入力した被増幅光は、光アイソレータ６１および光カプラ３２を順に経て光増幅媒体２０に入力し、この光増幅媒体２０において光増幅される。この光増幅媒体２０において光増幅された光は、光アイソレータ６２および光カプラ４２を順に経て光減衰部７０に入力し、この光減衰部７０において所要の減衰を受ける。この光減衰部７０から出力された光は、出力端１２から外部へ出力される。
【００４４】
光アイソレータ６２から光減衰部７０に向かう光の一部は、光カプラ４２により分岐されて取り出され、そのパワーがフォトダイオード４１により検出される。このフォトダイオード４１により検出される光パワーは出力光レベルを表す。そして、制御部５２により、ＡＬＣ制御が行われて、出力光モニタ部４０により得られた出力光レベルが一定となるように、励起部３０により光増幅媒体２０に供給される励起エネルギが調整される。
【００４５】
ＡＬＣ制御の下では、出力光モニタ部４０により得られた出力光レベルが目標レベルより大きくなったときには、励起部３０により光増幅媒体２０に供給される励起エネルギは減少される。一方、出力光モニタ部４０により得られた出力光レベルが目標レベルより小さくなったときには、励起部３０により光増幅媒体２０に供給される励起エネルギは増加される。このＡＬＣ制御に際して、励起部３０により光増幅媒体２０に供給される励起エネルギは、所定の最大供給量以下の範囲で調整され、この最大供給量を超えることはない。
【００４６】
以上のような動作を基本として、特に第２実施形態に係る光増幅器２では、制御部５２は以下のような制御を行う。図６は、第２実施形態に係る光増幅器２における制御方法を説明する図である。同図（ａ）は光増幅媒体２０から出力される光のレベル（出力光レベル）の遷移を示し、同図（ｂ）は出力端１２から出力される光のレベルの遷移を示し、同図（ｃ）は励起エネルギ供給量の遷移を示す。
【００４７】
この制御方法では、通常運用状態ＡにおいてＡＬＣ制御が行われているときには、入力光レベルが通常範囲にあり、励起エネルギ供給量も通常範囲にあり、また、出力光レベルも通常範囲にある。この通常運用状態に対して入力光レベルが低下すると、制御部５２は、ＡＬＣ制御により、出力光レベルを目標レベルに維持するよう、励起エネルギ供給量を増加させる。入力光レベルが顕著に低下すると、励起エネルギ供給量が最大供給量に固定されて、状態Ｂとなる。この状態Ｂでは、出力光レベルは、光増幅媒体２０で発生するＡＳＥ光のレベルと略等しくなる。そこで、制御部５２は、出力光レベルと第１基準出力光レベルＬ１とを対比して、出力光レベルが第１基準出力光レベルＬ１より低下したと判断したときに、状態Ｂであると判定する。
【００４８】
そして、制御部５２は、状態Ｂであると判定すると、光減衰部７０の減衰率を大きくして、状態Ｃとする。この状態Ｃにおいても、出力光モニタ部４０により得られる出力光レベルが目標レベルとなるようＡＬＣ制御が継続されてもよく、また、目標レベルの変更は不要である。この状態Ｃにおいて出力端１２から出力される光のレベルは、状態Ｂのときと比べて低下する。
【００４９】
光減衰部７０の減衰率が大きい状態であるときに入力光レベルが復旧すると、光増幅媒体２０から出力される光のレベル（出力光レベル）は、通常運用状態Ａのときと同レベルとなる。そこで、制御部５２は、出力光レベルと第３基準出力光レベルＬ５（ただし、Ｌ５＜Ｌ１）とを対比して、出力光レベルが第５基準出力光レベルＬ５より上昇したと判断したときに、状態Ｄに遷移したこと（すなわち、入力光レベルの復旧）を検出する。そして、制御部５２は、入力光レベルの復旧を検出したときに、光減衰部７０の減衰率を元の通常値に復旧させて、通常運用状態Ａに復帰させる。
【００５０】
以上のように、第２実施形態に係る光増幅器２でも、従来のような入力光モニタ部が不要であり、雑音指数の改善およびコストの低減が可能である。
【符号の説明】
【００５１】
１，２…光増幅器、１１…入力端、１２…出力端、２０…光増幅媒体、３０…励起部、３１…レーザダイオード、３２…光カプラ、４０…出力光モニタ部、４１…フォトダイオード、４２…光カプラ、５１，５２…制御部、６１，６２…光アイソレータ、７０…光減衰部。
【図１】
0004783475.tif 000002
【図２】
0004783475.tif 000003
【図３】
0004783475.tif 000004
【図４】
0004783475.tif 000005
【図５】
0004783475.tif 000006
【図６】
0004783475.tif 000007